(57)【要約】【課題】ユーザの使い勝手を向上させた画像形成装置を提供することである。【解決手段】第１画像形成部は、第１色材で単色画像を形成する。第２画像形成部は、第１色材とは異なる第２色材で単色画像を形成する。色材選択部は、画像形成に用いる色材として第１色材、及び第２色材のいずれか一方がユーザによって選択される。取得部は、原稿を読み取り、原稿を示す画像データを取得する。モード選択部は、取得部により取得された画像データに対する画像処理として、第１画像処理を行う第１モード、及び第１画像処理とは異なり、色材選択部にて選択された色材の色に関わらず、シートに形成される色の視認性をあげる第２画像処理を行う第２モードのいずれか一方がユーザによって選択される。【選択図】図５
2018189817.tif 000002
【特許請求の範囲】
【請求項１】
第１色材で単色画像を形成する第１画像形成部と、
前記第１色材とは異なる第２色材で単色画像を形成する第２画像形成部と、
画像形成に用いる色材として前記第１色材、及び前記第２色材のいずれか一方がユーザによって選択される色材選択部と、
原稿を読み取り、前記原稿を示す画像データを取得する取得部と、
前記取得部により取得された前記画像データに対する画像処理として、第１画像処理を行う第１モード、及び前記第１画像処理とは異なり、前記色材選択部にて選択された色材に関わらず、シートに形成される色の視認性をあげる第２画像処理を行う第２モードのいずれか一方がユーザによって選択されるモード選択部と、
を備えた画像形成装置。
【請求項２】
前記モード選択部は、ユーザに前記第１モード、前記第２モードのいずれか一方を選択させるための選択画面を表示し、
前記色材選択部によって、画像形成に用いる色材として前記第２色材が選択された場合には、前記モード選択部は、前記第２モードがデフォルトとして示されている選択画面を表示する請求項１に記載の画像形成装置。
【請求項３】
前記第１画像処理と前記第２画像処理とでは、画像処理に係るパラメータが異なっており、
前記第２画像処理に係るパラメータは、画像形成に用いる色材の色を強調させる画像処理を行うためのパラメータである請求項１または請求項２に記載の画像形成装置。
【請求項４】
前記第１画像処理と、前記第２画像処理との両方の画像処理を行う画像処理部を備えた請求項１から請求項３のいずれか１項に記載の画像形成装置。
【請求項５】
前記第２色材は、前記第１色材よりも発色濃度が低い色材である請求項１から請求項４のいずれか１項に記載の画像形成装置。
【発明の詳細な説明】
【技術分野】
【０００１】
本発明の実施形態は、画像形成装置に関する。
【背景技術】
【０００２】
加熱による消色が可能な特定色の色材を含む複数の色材を用いた画像形成を行うことが可能な画像形成装置がある。消色可能な色材で形成されたシートは、コピーされることがある。
【０００３】
消色可能な色材で形成されたシートは、黒色トナーなどの非消色の色材よりも発色濃度が低い。そのため、消色可能な色材で形成されたシートを、非消色の色材で画像形成精されたシートと同様に画像処理を行ってコピーすると、色の薄い視認性の低い画像が形成される。従って、非消色色材と消色色材のいずれでも画像形成可能な画像形成装置を利用するユーザの使い勝手がよいものとは言い難いという問題点があった。
【先行技術文献】
【特許文献】
【０００４】
【特許文献１】特開２０１６−８１０７６号公報
【発明の概要】
【発明が解決しようとする課題】
【０００５】
本発明が解決しようとする課題は、ユーザの使い勝手を向上させた画像形成装置を提供することである。
【課題を解決するための手段】
【０００６】
実施形態の画像形成装置は、第１画像形成部と、第２画像形成部と、色材選択部と、取得部と、モード選択部とを持つ。第１画像形成部は、第１色材で単色画像を形成する。第２画像形成部は、前記第１色材とは異なる第２色材で単色画像を形成する。色材選択部は、画像形成に用いる色材として前記第１色材、及び前記第２色材のいずれか一方がユーザによって選択される。取得部は、原稿を読み取り、前記原稿を示す画像データを取得する。モード選択部は、前記取得部により取得された前記画像データに対する画像処理として、第１画像処理を行う第１モード、及び前記第１画像処理とは異なり、前記色材選択部にて選択された色材に関わらず、シートに形成される色の視認性をあげる第２画像処理を行う第２モードのいずれか一方がユーザによって選択される。
【図面の簡単な説明】
【０００７】
【図１】実施形態に係る画像形成装置１の側面図。
【図２】感光体ドラムとその周辺部の構成を示す図。
【図３】画像形成装置の制御回路を示す図。
【図４】画像処理部が行う各種処理を示す図。
【図５】液晶表示部に表示される画面を示す図。
【図６】画像形成装置の処理の流れを示すフローチャート。
【図７】画像形成装置の処理の流れを示すフローチャート。
【図８】画像形成装置の処理の流れを示すフローチャート。
【発明を実施するための形態】
【０００８】
実施形態の画像形成装置では、ユーザの使い勝手を向上させた画像形成装置を提供することが可能となる。以下、実施形態の画像形成装置について詳細に説明する。
【０００９】
実施形態に係る画像形成装置１は、第１色材と第２色材で画像を形成可能である。本実施形態では、第１色材の一例として黒色トナーを用いている。第２色材の一例として、消色トナーを用いている。黒色トナーは、非消色性記録剤である。消色トナーは、消色性記録剤である。消色トナーは、黒色トナーよりも発色濃度が低い。消色トナーは、所定値未満の温度で発色して可視状態となり、所定値以上の温度で消色して非可視状態となる。また、消色トナーは青色でシートに形成される。
【００１０】
また、実施形態に係る画像形成装置１は、コピー機能を有する。このコピー機能における原稿として、黒色トナーなどの非消色性記録剤で画像が形成された非消色シート、及び消色トナーで画像が形成された青色シートを読み取ることが可能である。なお、非消色シートは、単色で画像が形成されているシートに限らず、カラーで画像が形成されているシートも含む。
【００１１】
図１は、実施形態に係る画像形成装置１の側面図である。画像形成装置１の上部には、原稿載置用の透明の原稿台（ガラス板）２が配置される。原稿台２の上にカバー３が開閉自在に配置される。原稿台２の下面側にキャリッジ４が配置される。キャリッジ４に露光ランプ５が配置される。
【００１２】
キャリッジ４は、原稿台２の下面に沿って往復動する。露光ランプ５は、キャリッジ４の往動に伴い、原稿台２上の原稿を露光する。この露光により生じる反射光像を、反射ミラー６、７、８および変倍用レンズブロック９を介してＣＣＤ（Charge Coupled Device）１０が受ける。ＣＣＤ１０は、原稿からの反射光像に対応するレベルの画像信号をＲ（赤）、Ｇ（緑）、Ｂ（青）ごとに出力する。
【００１３】
原稿台２の近傍には、動作条件設定用のコントロールパネル１１が配置される。コントロールパネル１１は、タッチパネル式の液晶表示部１２を有する。
【００１４】
露光ユニット２０は、ＣＣＤ１０が出力する画像信号を受ける。露光ユニット２０は、消色トナーの画像信号に応じたレーザ光Ｂ１を、消色トナー用の像担持体である感光体ドラム２３に向けて発する。露光ユニット２０は、黒色トナーの画像信号に応じたレーザ光Ｂ２を、黒色トナー用の像担持体である感光体ドラム２４に向けて発する。
【００１５】
感光体ドラム２３、２４の上方に転写ベルト３０が配置される。この転写ベルト３０は、ドライブローラ３１及び従動ローラ３２に掛け渡される。転写ベルト３０は、ドライブローラ３１から動力を受けて、半時計方向に回転する。
【００１６】
感光体ドラム２３と対向する位置に、１次転写ローラ４３が上下動自在に配置される。感光体ドラム２４と対向する位置に、１次転写ローラ４４が上下動自在に配置される。１次転写ローラ４３は、転写ベルト３０を感光体ドラム２３の周面に押し当てながら回転することにより、感光体ドラム２３上の像を転写ベルト３０に転写する。１次転写ローラ４４は、転写ベルト３０を感光体ドラム２４の周面に押し当てながら回転することにより、感光体ドラム２４上の像を転写ベルト３０に転写する。
【００１７】
感光体ドラム２３とその周辺部の構成を図２に示す。感光体ドラム２３の周囲に、クリーナ２３ａ、除電ランプ２３ｂ、帯電ユニット２３ｃ、及び現像ユニット２３ｄが配置される。クリーナ２３ａは、感光体ドラム２３の表面に残留する現像剤を除去する。除電ランプ２３ｂは、感光体ドラム２３の表面に残留する電荷を除去する。帯電ユニット２３ｃは、感光体ドラム２３の表面に静電荷を帯電させる。
【００１８】
帯電ユニット２３ｃによる帯電が済んだ感光体ドラム２３の表面は、露光ユニット２０が発するレーザ光Ｂ１を受ける。レーザ光Ｂ１は、感光体ドラム２３の表面に静電潜像を形成する。現像ユニット２３ｄは、感光体ドラム２３の表面に消色の現像剤Ｄを供給することにより、感光体ドラム２３の表面の静電潜像を現像する。
【００１９】
感光体ドラム２４の周辺部も、同様の構成である。よって、その説明は省略する。感光体ドラム２４には、黒色の現像剤Ｄが供給される。上述した感光体ドラム２３とその周辺部をまとめて第１画像形成部と表現することがある。この第１画像形成部は、黒色トナーで単色画像を形成する。また、感光体ドラム２４とその周辺部をまとめて第２画像形成部と表現することがある。この第２画像形成部は、消色トナーで単色画像を形成する。
【００２０】
露光ユニット２０の下方に、複数の給紙カセット５０が配置される。これら給紙カセット５０は、互いに異なるサイズの記録媒体であるシートＰを多数枚収容する。
【００２１】
給紙カセット５０と対応する位置に、ピックアップローラ５１及び給紙ローラ５２が配置される。各ピックアップローラ５１は、各給紙カセット５０内のシートＰを１枚ずつ取り出す。各給紙ローラ５２は、各ピックアップローラ５１が取り出したシートＰを搬送路５３に供給する。搬送路５３は、レジストローラ５４、上記従動ローラ３２、定着ユニット６０、及び排紙ローラ５５を経由して、上方の排紙口５６に延びる。排紙口５６は、排紙トレイ５７に臨む。
【００２２】
転写ベルト３０及び搬送路５３を挟んで上記従動ローラ３２と対向する位置に、２次転写ローラ３３が配置される。２次転写ローラ３３は、転写ベルト３０に転写されている像を、レジストローラ５４から送り込まれるシートＰに転写する。
【００２３】
搬送路５３の終端からレジストローラ５４の上流側位置にかけて、搬送路７０が配置される。搬送路７０は、シートＰの表裏を反転して搬送路５３に戻す。搬送路７０は、給紙ローラ７１、７２、７３を有する。
【００２４】
画像形成装置１の側壁には、手差しトレイ７４が着脱自在に配置される。搬送路７５は、手差しトレイ７４から搬送路５３におけるレジストローラ５４の上流側位置にかけて配置される。ピックアップローラ７６及び給紙ローラ７７は、搬送路７５と対応する位置に配置される。ピックアップローラ７６は、手差しトレイ７４のシートを１枚ずつ取り出す。給紙ローラ７７は、ピックアップローラ７６が取り出したシートをレジストローラ５４に供給する。
【００２５】
上記定着ユニット６０は、ヒートローラ６１および加圧ローラ６２を有する。この定着ユニット６０は、搬送されるシートＰをヒートローラ６１により所定値（例えば１２０℃）未満の温度（例えば１００℃）で加熱することにより、シートＰに転写されている像をシートＰに可視状態で定着させる。また、定着ユニット６０は、搬送される非可視化対象のシートＰをヒートローラ６１により所定値以上の温度（例えば１３０℃）で加熱することにより、シートＰ上の画像を非可視化する。
【００２６】
画像形成装置１の制御回路を図３に示す。
コンピュータのＣＰＵ８０に、コントロールパネル１１、ＲＯＭ８１、ＲＡＭ８２、ハードディスクドライブ（ＨＤＤ）８３、スキャナ８４、画像処理部８５、及び画像形成部８６を接続する。
【００２７】
コントロールパネル１１は、タッチパネル式の液晶表示部のほかに、テンキー、スタートキーなどを有する。
【００２８】
ＲＯＭ８１は、制御用の各種プログラムを記憶する。ＲＡＭ８２は、各種データを記憶する。ハードディスクドライブ８３は、画像データを記憶する。スキャナ８４は、上記キャリッジ４、露光ランプ５、反射ミラー６，７，８、変倍用レンズブロック９、及びＣＣＤ１０を含む。スキャナ８４は、原稿台２上の原稿を光学的に走査して読取り、原稿を示す画像データを取得する。画像処理部８５は、スキャナ８４によって取得された画像データに対し、各種処理を行う。
【００２９】
画像形成部８６は、露光ユニット２０、感光体ドラム２３、２４、各感光体ドラム周りの図２の構成、転写ベルト３０、ドライブローラ３１、従動ローラ３２、１次転写ローラ４３、４４、２次転写ローラ３３、搬送路５３、定着ユニット６０、及び搬送路７０などを有する。画像形成部８６は、画像処理部８５が処理した画像データが示す画像をシートＰ上に形成する。
【００３０】
図４は、画像処理部８５が行う各種処理を示す図である。画像処理部８５が行う画像データに対する画像処理として、第１画像処理を行う文字写真原稿モード（第１モード）、及び第１画像処理とは異なり、画像形成に用いる色材の色に関わらず、シートに形成される色の視認性をあげる第２画像処理を行う消色原稿モード（第２モード）がある。このように、画像処理部８５は、第１画像処理と、第２画像処理との両方の画像処理を行う。
【００３１】
第１画像処理では、スキャナ８４で取得された画像データから、文字領域と写真領域とを判別し、文字領域に対しては、エッジを利かせる処理等を行い、写真領域に対しては、階調数を増やすなどして、階調性を出すための処理等を行う。
【００３２】
第２画像処理は、青色シートの原稿をコピーする場合に適した処理である。上述したように、消色トナーは、黒色トナーなどの非消色性記録剤よりも発色濃度が低い。従って、青色シートからスキャナ８４で取得された画像データは、非消色シートからスキャナ８４で取得された画像データと比較して、薄い画像を示す画像データとなる。そのため、非消色シートからスキャナ８４で取得された画像データに対する画像処理と同じ処理を行った場合には、薄い画像が形成されることとなる。
【００３３】
そのため、第２画像処理では、シートに形成される色の視認性をあげるために、色材の色を強調させる処理を行う。具体的には、青色シートの原稿には、青色で画像が形成されていることから、第２画像処理では、ＣＣＤ１０から出力されたＲＧＢの各画像信号のうち、Ｂに対応する画像信号を強調する処理等を行う。これにより、非消色シートからスキャナ８４で取得された画像データと同等の濃さで画像が形成される。これらを踏まえ、以下画像処理部８５について説明する。
【００３４】
画像処理部８５は、色変換処理、レンジ補正処理、シャープネス調整処理、ガンマ補正・中間調処理、及びパルス幅変調処理を行う。いずれの処理においても、ＣＰＵ８０によってセットされたパラメータに従って処理が行われる。ＣＰＵ８０は、コントロールパネル１１によって設定された設定内容を示す調整値を参照して、適切なパラメータをＲＯＭ８１から読み出してセットする。上述した第１画像処理と第２画像処理とでは、画像処理に係るパラメータが異なっており、第２画像処理に係るパラメータは、トナーの色を強調させる画像処理を行うためのパラメータである。以下の説明では、第１画像処理でセットされるパラメータを黒色用パラメータと表現することがある。また、第２画像処理でセットされるパラメータを消色用パラメータと表現することがある。
【００３５】
画像処理部８５は、スキャナ８４により読み取られた、ＲＧＢの画像信号（カラー画像データ）を取得し、色変換処理を行う。色変換処理では、適切な濃度階調の単色信号（Ｋ）（モノクロ画像データ）に変換する。次いで、画像処理部８５は、色変換されたモノクロ画像データに対し、レンジ補正処理を行う。レンジ補正処理では、線画部分を見やすくする目的で画像の変化点を強調するエッジ強調処理や下地と文字部の濃度差を広げる。
【００３６】
次いで、画像処理部８５は、レンジ補正処理された画像データに対し、シャープネス調整処理を行う。シャープネス調整処理では、画像の輪郭を調整する。次いで、画像処理部８５は、シャープネス調整処理された画像データに対し、ガンマ補正・中間調処理を行う。
【００３７】
ガンマ補正・中間調処理では、画像形成部８６の出力デバイスの特性を考慮したガンマ補正を行う。またガンマ補正・中間調処理部８３は、ディザリング等を行うことで中間色を表現する処理を行う。パルス幅変調（ＰＷＭ；Pulse Width Modulation）処理では、感光体ドラム上において画像データに応じた所要の階調（複数の階調）を形成するために、パルス幅やパルス位置を調整する。
【００３８】
本実施形態において、上述した画像処理部８５は、ＡＳＩＣ（Application Specific Integrated Circuit）で実現されている。画像処理部８５により行われる処理のうち、色変換処理、レンジ補正処理、シャープネス調整処理、及びパルス幅変調処理は、第１画像処理及び第２画像処理で共通化されている。
【００３９】
画像処理部はいずれか一方の色材に対する単色処理を行うことにより共通化が可能となる。その共通化を行ったものが本実施形態で使用されるＡＳＩＣである。このように、色材に依存しない共通の構成を持つことにより、部品点数を減少させることができ、画像形成装置のハードウェアのコストや開発工数を抑えることが可能になる。また生産ロット数が増大すると、それに伴いスケールメリットを得ることができる。
【００４０】
図５は、液晶表示部１２に表示される画面を示す図である。液晶表示部１２には、コピー画面１０１が表示される。このコピー画面１０１では、画像形成に用いる色材として黒色トナー、及び消色トナーのいずれか一方がユーザによって選択される色材選択部１０２が設けられている。このコピー画面１０１の場合は、消色トナーが選択された様子が示されている。
【００４１】
コピー画面１０１には、さらに原稿モードを選択するための画面に遷移するための原稿モードボタン１０３が設けられている。ユーザが原稿モードボタン１０３を選択すると、原稿モード選択画面１１１が表示される。原稿モード選択画面１１１には、文字写真原稿（黒色原稿）ボタン１１２、消色原稿ボタン１１３、及び戻るボタンが表示される。
【００４２】
原稿モード選択画面１１１では、文字写真原稿ボタン１１２、消色原稿ボタン１１３によって、原稿モードとして、文字写真原稿モード、及び消色原稿モードのいずれか一方がユーザによって選択される。このうち、文字写真原稿モードでは、上述したように第１画像処理が行われる。消色原稿モードでは、第２画像処理が行われる。戻るボタンは、コピー画面に戻るためのボタンである。
【００４３】
原稿モード選択画面１１１は、色材選択部１０２によって、画像形成に用いる色材として消色トナーが選択された場合には、原稿モード選択画面１１１では、図５に示されるように、消色原稿モードがデフォルトとして示される。
【００４４】
図６、７、８は、画像形成装置１の処理の流れを示すフローチャートである。具体的に、図６、７、８は、上述したコピー画面１０１を表示してから画像が形成されるまでの処理の流れを示す。ＣＰＵ８０は、コピー画面１０１を液晶表示部１２に表示する（ＡＣＴ１０１）。ＣＰＵ８０は、コントロールパネル１１に設けられたコピーを開始するためのスタートキーが押下されたか否かを判定する（ＡＣＴ１０２）。スタートキーが押下されていない場合には（ＡＣＴ１０２：ＮＯ）、ＣＰＵ８０は、色材選択部１０２によって消色トナーが選択されたか否かを判定する（ＡＣＴ１０３）。
【００４５】
色材選択部１０２によって消色トナーが選択された場合には（ＡＣＴ１０３：ＹＥＳ）、ＣＰＵ８０は、トナーモードに「消色」をセットする（ＡＣＴ１０４）。トナーモードとは、画像形成に用いるトナーを示すモードである。次いで、ＣＰＵ８０は、原稿モードに消色原稿モードをセットし（ＡＣＴ１０７）、ＡＣＴ１０２に戻る。
【００４６】
ＡＣＴ１０３において、色材選択部１０２によって消色トナーが選択されなかった場合には（ＡＣＴ１０３：ＮＯ）、ＣＰＵ８０は、色材選択部１０２によって黒色トナーが選択されたか否かを判定する（ＡＣＴ１０５）。色材選択部１０２によって黒色トナーが選択された場合には（ＡＣＴ１０５：ＹＥＳ）、ＣＰＵ８０は、トナーモードに「黒色」をセットする（ＡＣＴ１０４）。次いで、ＣＰＵ８０は、原稿モードに消色原稿モードをセットし（ＡＣＴ１０７）、ＡＣＴ１０２に戻る。
【００４７】
このように、画像形成に用いるトナーがいずれのトナーであっても、原稿モードに消色原稿モードがセットされる。すなわち、原稿モードのデフォルトは消色原稿モードとなる。
【００４８】
ＡＣＴ１０５において、色材選択部１０２によって黒色トナーが選択されなかった場合には（ＡＣＴ１０５：ＮＯ）、ＣＰＵ８０は、原稿モードボタン１０３が選択されたか否かを判定する（ＡＣＴ１０８）。原稿モードボタン１０３が選択されなかった場合には（ＡＣＴ１０８：ＮＯ）、ＣＰＵ８０は、その他の処理を行い（ＡＣＴ１０９）、ＡＣＴ１０２に戻る。ここで、「その他の処理」とは、コピー画面１０１に示される他のボタン（シート選択や拡大縮小等）に対応する処理である。
【００４９】
ＡＣＴ１０５において、原稿モードボタン１０３が選択された場合には（ＡＣＴ１０８：ＹＥＳ）、図７に示されるように、ＣＰＵ８０は、原稿モードが消色原稿モードか否かを判定する（ＡＣＴ１１０）。原稿モードが消色原稿モードの場合には（ＡＣＴ１１０：ＹＥＳ）、ＣＰＵ８０は、消色原稿ボタン１１３をデフォルトとした原稿モード画面１１１を表示する（ＡＣＴ１１１）。一方、原稿モードが消色原稿モードではない場合には（ＡＣＴ１１０：ＮＯ）、ＣＰＵ８０は、文字写真原稿ボタン１１２をデフォルトとした原稿モード画面１１１を表示する（ＡＣＴ１１４）。
【００５０】
次いで、ＣＰＵ８０は、消色原稿ボタン１１３が選択されたか否かを判定する（ＡＣＴ１１２）。消色原稿ボタン１１３が選択された場合には（ＡＣＴ１１２：ＹＥＳ）、ＣＰＵ８０は、原稿モードに消色原稿モードをセットして（ＡＣＴ１１３）、ＡＣＴ１１２に戻る。消色原稿ボタン１１３が選択されなかった場合には（ＡＣＴ１１２：ＮＯ）、ＣＰＵ８０は、文字写真原稿ボタン１１２が選択されたか否かを判定する（ＡＣＴ１１５）。文字写真原稿ボタン１１２が選択された場合には（ＡＣＴ１１５：ＹＥＳ）、ＣＰＵ８０は、原稿モードに文字写真原稿モードをセットして（ＡＣＴ１１６）、ＡＣＴ１１２に戻る。文字写真原稿ボタン１１２が選択されなかった場合には（ＡＣＴ１１５：ＮＯ）、ＣＰＵ８０は、戻るボタンが選択されたか否かを判定する（ＡＣＴ１１７）。戻るボタンが選択されなかった場合には（ＡＣＴ１１７：ＮＯ）、ＣＰＵ８０は、ＡＣＴ１１２に戻る。戻るボタンが選択された場合には（ＡＣＴ１１７：ＹＥＳ）、ＣＰＵ８０は、図６のＡＣＴ１０１に戻る。
【００５１】
図６のＡＣＴ１０２において、スタートキーが押下された場合には（ＡＣＴ１０２：ＹＥＳ）、ＣＰＵ８０は、スキャナ８４によって原稿から画像データを取得する（ＡＣＴ１１８）。ＣＰＵ８０は、原稿モードが消色原稿モードか否かを判定する（ＡＣＴ１１９）。原稿モードが消色原稿モードの場合には（ＡＣＴ１１９：ＹＥＳ）、ＣＰＵ８０は、消色用パラメータを画像処理部８５にセットして（ＡＣＴ１２０）、第２画像処理を行う（ＡＣＴ１２１）。次いで、ＣＰＵ８０は、画像形成部８６によってトナーモードに応じた画像形成処理を行い（ＡＣＴ１２２）、本処理を終了する。なお、第２画像処理により生成された画像データを記憶するようにしてもよい。このようにすることで、色が強調された画像データを残すことができる。
【００５２】
ＡＣＴ１１９において、原稿モードが消色原稿モードではない場合には（ＡＣＴ１１９：ＮＯ）、ＣＰＵ８０は、黒色用パラメータを画像処理部８５にセットして（ＡＣＴ１２３）、第１画像処理を行う（ＡＣＴ１２４）。次いで、ＣＰＵ８０は、原稿モードに消色原稿モードをセットし、次回の画像処理のパラメータとして消色用パラメータをセットする（ＡＣＴ１２５）。ＣＰＵ８０は、画像形成部８６によってトナーモードに応じた画像形成処理を行い（ＡＣＴ１２２）、本処理を終了する。
【００５３】
以上説明したＡＣＴ１０７に示されるように、本実施形態では、色材選択部１０２にて選択された色材に関わらず、シートに形成される色の視認性をあげる第２画像処理を行う原稿モードがセットされる。色材選択部１０２にて、消色トナーが選択された場合には、消色原稿モードをデフォルトとしてセットすることで、ユーザの使い勝手が向上する。その理由は以下の通りである。
【００５４】
仮に原稿が非消色シートの場合に、デフォルトでセットされた消色原稿モードによる第２画像処理によって画像が形成されたとしても、形成されたシートの文書は単に色が強調された画像となるだけであるので、ユーザが文書を見にくくなることはない。
【００５５】
一方、原稿が青色シートの場合に、第１画像処理によって画像が形成されると、形成された画像は薄くなり、再コピーする手間が生じる。従って、デフォルトで消色原稿モードがセットされることで、原稿が青色シートであっても、非消色シートであっても、ユーザが再コピーをする必要はない。さらに、消色トナーで画像形成可能な画像形成装置が設置されている場合、消色トナーよって画像形成することが比較的多いため、青色シートがコピーされることも多い。こうした背景から、消色原稿モードをデフォルトとしてセットすることで、ユーザの使い勝手を向上させることができる。
【００５６】
ただし、上記実施形態に限らず、色材選択部１０２にて黒色トナーが選択された場合にも消色原稿モードを画像処理のデフォルトモードとして選択するようにしてもよい。コピーと同時に原稿のスキャンデータを保存する機能を有する複写機等において、消色トナー等の青の原稿に対して、より鮮明なデータを保存するのに好適となる。
【００５７】
以上述べた実施形態の画像形成装置によれば、ユーザの使い勝手を向上させた画像形成装置を提供することが可能となる。
【００５８】
上述した実施形態における画像形成装置の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１…画像形成装置、１１…コントロールパネル、８１…ＲＯＭ、８２…ＲＡＭ、８３…ＨＤＤ、８４…スキャナ、８５…画像処理部、８６…画像形成部、１０１…コピー画面、１０２…トナー選択部、１１１…原稿モード画面
【図１】
2018189817.tif 000003
【図２】
2018189817.tif 000004
【図３】
2018189817.tif 000005
【図４】
2018189817.tif 000006
【図５】
2018189817.tif 000007
【図６】
2018189817.tif 000008
【図７】
2018189817.tif 000009
【図８】
2018189817.tif 000010